(57)【特許請求の範囲】
【請求項１】
少なくとも基材テープ上に塗膜を設けた転写テープを繰出す繰出部と塗膜転写後の前記基材テープを巻取る巻取部を有する交換カセットと、少なくとも前記繰出部と前記巻取部をベルトで連動回転させる連動回転機構を有し前記交換カセットを脱着可能に保持する本体カセットを有し、前記交換カセット又は前記本体カセットに設けられた転写押圧部にて前記転写テープを被転写面に押圧して前記塗膜を転写する塗膜転写具において、
前記交換カセットの繰出部は前記交換カセットの巻取部に対して遠近方向に移動可能であり、かつ前記繰出部を保持する前記本体カセットの繰出保持部は前記巻取部を保持する前記本体カセットの巻取保持部に対して遠近方向に移動可能であり、前記本体カセットに前記交換カセットを装着することによって前記本体カセットの前記繰出保持部が前記巻取保持部から遠ざかる方向へ移動することを防止する逆移動防止部材を有し、前記交換カセットを前記本体カセットから取り外すと前記逆移動防止部材の効果が解除され、前記繰出保持部が前記巻取保持部から遠ざかる方向へ移動することを特徴とする塗膜転写具。
【請求項２】
前記逆移動防止部材は、前記交換カセットと前記本体カセットで構成され、前記交換カセット側の逆移動防止部材と前記本体カセット側の逆移動防止部材が係合することによって前記本体カセットの前記繰出保持部が前記巻取保持部から遠ざかる方向へ移動することが防止され、前記交換カセットを前記本体カセットから取り外すと、前記交換カセット側の逆移動防止部材と前記本体カセット側の逆移動防止部材の係合が外れて、前記逆移動防止部材の効果が解除されることを特徴とする請求項１に記載の塗膜転写具。
【請求項３】
前記逆移動防止部材は、前記交換カセット又は前記本体カセットの一方に設けられた連続する複数のラチェット歯と、他方に設けられた前記ラチェット歯に係合する弾性変形可能な係合ツメで構成されることを特徴とする請求項２に記載の塗膜転写具。
【請求項４】
前記逆移動防止部材は、前記本体カセットに設けられた連続する複数のラチェット歯と前記ラチェット歯に係合する弾性変形可能な係合ツメで構成され、前記交換カセットを前記本体カセットへ装着することによって、前記交換カセットに設けた凸部が前記係合ツメを押圧して前記係合ツメが前記ラチェット歯に係合し、前記交換カセットを前記本体カセットから外すことによって、前記凸部が前記係合ツメを押圧しなくなり、前記係合ツメと前記ラチェット歯の係合が解除されることを特徴とする請求項２に記載の塗膜転写具。
【請求項５】
前記繰出保持部と前記巻取保持部間の距離を遠ざける方向へ、前記移動可能な繰出保持部を付勢する弾性部材を有することを特徴とする請求項１〜４のいずれかに記載の塗膜転写具。
【請求項６】
前記繰出部の回転中心Ｌ、前記巻取部の回転中心Ｍ、及び前記転写押圧部の塗膜転写位置Ｎが、Ｌ、Ｍ、Ｎの順番で、略一直線上に配置されることを特徴とする請求項１〜５のいずれかに記載の塗膜転写具。
【請求項７】
前記繰出部の繰出コアに前記転写テープを巻き回した繰出側パンケーキ外径が大きい転写テープ使用初期から、前記繰出側パンケーキ外径が小さくなる転写テープ使用終期までを通じて、前記繰出部の回転中心Ｌと前記巻取部の回転中心Ｍとを結んだ線分を線分ＬＭとして、前記転写テープに作用する張力自体と前記転写テープに作用する張力の線分ＬＭに平行な分力のなす角度が４５度以下であることを特徴とする請求項１〜５のいずれかに記載の塗膜転写具。
【発明の詳細な説明】
【技術分野】
【０００１】
本発明は、文字修正用塗膜、接着用の粘着剤塗膜、装飾用塗膜等を被転写体に押圧転写するための塗膜転写具の技術分野に属し、特に、繰出コアと巻取コアをベルトで連動回転させるベルト駆動式の塗膜転写具の技術分野に属する。
【背景技術】
【０００２】
従来から、基材テープ上に塗膜を設けた転写テープを繰出部から繰出し、転写押圧部で転写テープを押圧して塗膜を被転写面へ転写した後、基材テープを巻き取る塗膜転写具が使用されている。このような塗膜転写具では、基材テープの巻取り長さが転写テープの繰出し長さより長くなるように、転写テープを繰出す繰出コアと基材テープを巻き取る巻取コアを連動回転させ、転写テープＴに適度な張力をかけることによって、転写テープＴがたるまないようにしている。繰出コアと巻取コアをベルトで連動回転させるベルト駆動式の塗膜転写具では、ベルトによって巻取コアと繰出コアを連動回転させるとともに、ベルトと巻取コア間に生じるスリップによって、転写テープにかけられる張力を逃がしている。ベルトと巻取コアがスリップするときのトルクを「スリップトルク」と呼ぶ。また、転写テープが使用されておらず、繰出コアの繰出側パンケーキ外径が大きい状態を「使用初期」と呼び、転写テープが使用されて繰出コアの繰出側パンケーキ外径が小さくなった状態を「使用終期」と呼ぶ。
【０００３】
「使用初期」の転写テープの張力は、「使用終期」に比べて小さい。転写テープに適度な張力がかけられていると、転写直後の塗膜の切れが良いが、転写テープの張力が小さく転写ヘッド部分において転写テープがたるむと、塗膜の切れが悪くなり、良好な転写が行えない。そのため、塗膜転写具では、「使用初期」においても、転写テープの張力が小さくなりすぎて転写テープがたるむことがないように、スリップトルクを設計する必要がある。
【０００４】
一方、「使用終期」では、塗膜転写具の転写テープに大きな張力がかかる。転写テープの張力が大きくなりすぎると、塗膜を被転写面に転写する際、転写ヘッドを被転写面に強く押して転写作業をする必要があり、塗膜の転写不良が発生しやすくなる。そのため、塗膜転写具では、「使用終期」においては、転写テープの張力が大きくなりすぎて転写不良が発生しないように、スリップトルクを設計する必要がある。
【０００５】
このように、塗膜転写具のスリップトルクの設定は、「使用初期」と「使用終期」で相反する要求を満足する必要があり、良好な設定範囲が非常に小さく、設定が困難なものとなっていた。また、長尺の転写テープを収納すると、転写テープを巻き付けた繰出側パンケーキ外径の「使用初期」と「使用終期」間での径変化が大きく、「使用初期」と「使用終期」での転写テープの張力変化が大きくなるため、長尺の転写テープを収納した塗膜転写具を提供することができなかった。
【０００６】
このような問題を解決するために、転写ヘッドに加えられた押圧力により、繰出コアと巻取コアの軸間距離を短くする塗膜転写具が特許文献１と特許文献２により提案されている。両コアの軸間距離が短くなるとベルトの張力が低下するため、これらの塗膜転写具では、塗膜を転写する際に転写ヘッドを押圧することによって、転写テープの張力を緩和して、従来の塗膜転写具よりも軽い押圧操作で転写することができる。
【０００７】
しかしながら、特許文献１と特許文献２の塗膜転写具では、繰出コアと巻取コアの軸間距離を短くするために、繰出コア又は巻取コアが移動するので、次の（ア）、（イ）、及び（ウ）に示すような問題があった。
（ア）コアの移動により、転写テープが走行する繰出コアから巻取コアまでのテープルート長さが変化するため、転写テープがたるんで走行不良を起こすことがあった。
（イ）コアが移動時に傾くことがあり、基材テープが巻取コアで巻き乱れて、走行不良を起こすことがあった。
（ウ）転写ヘッドの押圧によって転写テープの張力を小さくしているので、転写ヘッドを強く押圧し過ぎると、転写テープの張力が小さくなり過ぎて、転写テープが走行不良となることがあった。また、転写ヘッドを被転写面から離すと転写テープの張力は小さい状態で維持されないので、繰出側パンケーキ外径が小さくなるにつれて、転写ヘッドの押圧開始時の転写テープの張力が大きくなる。このため、転写開始時の転写ヘッドの押圧力が小さいと、転写テープの張力を小さくすることができず、転写テープを繰出側パンケーキから繰出すことができないことがあった。したがって、長尺の転写テープを収納した塗膜転写具における「使用初期」と「使用終期」との転写テープの張力変化を小さくするという点では十分なものではなかった。
【０００８】
特許文献３では、繰出コアと巻取コアの間に、弾性部材の変形によってベルトの張力を自動的に調整する可動部材を設け、可動部材が転写テープの張力に応じて移動することによって、ベルトにかかる張力を減少させる塗膜転写具が開示されている。
【０００９】
しかしながら、特許文献３の塗膜転写具でも、塗膜を転写しようとするたびに、転写テープの張力によって可動部材を移動させ、ベルトにかかる張力を小さくしているので、転写ヘッドを被転写面から離すと、転写テープの張力は小さい状態で維持されないことがある。したがって、特許文献３の塗膜転写具でも、繰出側パンケーキ外径が小さくなるにつれて、転写ヘッドの押圧開始時の転写テープの張力が大きくなり、長尺の転写テープを収納した塗膜転写具における「使用初期」と「使用終期」との転写テープの張力変化を小さくするという点では十分なものではなかった。
【００１０】
また、廃棄材料を極力少なくするために、転写テープを必要最小限の部品とともに交換カセットとし、連動回転機構などの非交換部分からなる本体カセットに装着する交換式の塗膜転写具が、従来から特許文献４などで開示されている。長尺の転写テープを収納した塗膜転写具をこのような交換式とすることができれば、廃棄材料が少なく経済性に優れた塗膜転写具を提供することができる。しかしながら、交換式の塗膜転写具に長尺の転写テープを収納するためには、交換カセットを交換するたびに、繰り返し「使用初期」と「使用終期」の転写テープの張力変化を小さくできる機構を設ける必要がある。従来の塗膜転写具にこのような機構を設けようとすると、交換カセットの構造が複雑となり、交換部品を少なくすることができず、さらには交換カセットを容易に交換することができなかった。
【先行技術文献】
【特許文献】
【００１１】
【特許文献１】特開２００２−２８３７９５公報
【特許文献２】特開２００９−２８５８８３公報
【特許文献３】特開２０１１−５６６９６公報
【特許文献４】特開２０１０−１７８５５公報
【発明の概要】
【発明が解決しようとする課題】
【００１２】
本発明が解決しようとする課題は、長尺の転写テープを収納しても「使用初期」と「使用終期」の転写テープの張力変化が小さく、「使用初期」から「使用終期」を通じて転写テープの張力が小さく操作性のよい塗膜転写具の提供であり、特に、塗膜転写後に転写ヘッドを被転写面から離しても転写テープの張力が変化することがなく、しかも廃棄する交換部品が少なく交換が容易な交換式の塗膜転写具の提供である。
【課題を解決するための手段】
【００１３】
第１発明は、少なくとも基材テープ上に塗膜を設けた転写テープを繰出す繰出部と塗膜転写後の前記基材テープを巻取る巻取部を有する交換カセットと、少なくとも前記繰出部と前記巻取部をベルトで連動回転させる連動回転機構を有し前記交換カセットを脱着可能に保持する本体カセットを有し、前記交換カセット又は前記本体カセットに設けられた転写押圧部にて前記転写テープを被転写面に押圧して前記塗膜を転写する塗膜転写具において、
前記交換カセットの繰出部は前記交換カセットの巻取部に対して遠近方向に移動可能であり、かつ前記繰出部を保持する前記本体カセットの繰出保持部は前記巻取部を保持する前記本体カセットの巻取保持部に対して遠近方向に移動可能であり、前記本体カセットに前記交換カセットを装着することによって前記本体カセットの前記繰出保持部が前記巻取保持部から遠ざかる方向へ移動することを防止する逆移動防止部材を有し、前記交換カセットを前記本体カセットから取り外すと前記逆移動防止部材の効果が解除され、前記繰出保持部が前記巻取保持部から遠ざかる方向へ移動することを特徴とする塗膜転写具である。
【００１４】
第２発明は、前記逆移動防止部材は、前記交換カセットと前記本体カセットで構成され、前記交換カセット側の逆移動防止部材と前記本体カセット側の逆移動防止部材が係合することによって前記本体カセットの前記繰出保持部が前記巻取保持部から遠ざかる方向へ移動することが防止され、前記交換カセットを前記本体カセットから取り外すと、前記交換カセット側の逆移動防止部材と前記本体カセット側の逆移動防止部材の係合が外れて、前記逆移動防止部材の効果が解除されることを特徴とする第１発明に記載の塗膜転写具である。
【００１５】
第３発明は、前記逆移動防止部材は、前記交換カセット又は前記本体カセットの一方に設けられた連続する複数のラチェット歯と、他方に設けられた前記ラチェット歯に係合する弾性変形可能な係合ツメで構成されることを特徴とする第２発明に記載の塗膜転写具である。
【００１６】
第４発明は、前記逆移動防止部材は、前記本体カセットに設けられた連続する複数のラチェット歯と前記ラチェット歯に係合する弾性変形可能な係合ツメで構成され、前記交換カセットを前記本体カセットへ装着することによって、前記交換カセットに設けた凸部が前記係合ツメを押圧して前記係合ツメが前記ラチェット歯に係合し、前記交換カセットを前記本体カセットから外すことによって、前記凸部が前記係合ツメを押圧しなくなり、前記係合ツメと前記ラチェット歯の係合が解除されることを特徴とする第２発明に記載の塗膜転写具である。
【００１７】
第５発明は前記繰出保持部と前記巻取保持部間の距離を遠ざける方向へ、前記移動可能な繰出保持部を付勢する弾性部材を有することを特徴とする第１〜４発明のいずれかに記載の塗膜転写具である。
【００１８】
第６発明は、前記繰出部の回転中心Ｌ、前記巻取部の回転中心Ｍ、及び前記転写押圧部の塗膜転写位置Ｎが、Ｌ、Ｍ、Ｎの順番で、略一直線上に配置されることを特徴とする第１〜５発明のいずれかに記載の塗膜転写具である。
【００１９】
第７発明は、前記繰出部の繰出コアに前記転写テープを巻き回した繰出側パンケーキ外径が大きい転写テープ使用初期から、前記繰出側パンケーキ外径が小さくなる転写テープ使用終期までを通じて、前記繰出部の回転中心Ｌと前記巻取部の回転中心Ｍとを結んだ線分を線分ＬＭとして、前記転写テープに作用する張力自体と前記転写テープに作用する張力の線分ＬＭに平行な分力のなす角度が４５度以下であることを特徴とする第１〜５発明のいずれかに記載の塗膜転写具である。
【発明の効果】
【００２０】
本発明の塗膜転写具は、長尺の転写テープを収納しても「使用初期」と「使用終期」の転写テープの張力変化が小さく、塗膜転写後に転写ヘッドを被転写面から離しても、転写テープの張力が変化しないので操作性がよい。しかも、連動回転機構を本体カセットに設けたので、廃棄する交換部品が少なく、交換カセットを本体カセットから取り外すだけで、本体カセットの軸間距離が「使用初期」に適した距離になるので、新たな交換カセットの装着が容易で、新たな交換カセットを装着した塗膜転写具も、「使用初期」から「使用終期」を通じて操作性のよい交換式の塗膜転写具とすることができる。
【図面の簡単な説明】
【００２１】
【図１】本発明の第１実施形態の塗膜転写具Ａを示す。図１（ａ）は本体カバー１２を取り外した状態（参考のため、本体カバー１２のヒンジ１９部分のみを記載している）の塗膜転写具Ａの正面図であり、図１（ｂ）は図１（ａ）のＱ−Ｑ断面図（参考のため、本体カバー１２を記載している）である。図１（ｃ１）、（ｃ２）、（ｃ３）は、塗膜転写具Ａの交換カセット２を示す図であり、図１（ｃ１）は交換カバー２２側から見た交換カセット２であり、図１（ｃ２）は図１（ｃ１）のＲ−Ｒ断面図、図１（ｃ３）は交換ケース２１側から見た交換カセット２である。図１（ｄ）と図１（ｆ）は本体カバー１２と交換カセット２を取り外した状態の本体カセット１を示す図であり、図１（ｄ）はスライダー１７が巻取プーリー１５から遠ざかった初期状態を示す図であり、図１（ｆ）はスライダー１７が巻取プーリー１５方向へ移動した状態を示す図(参考のため、交換ケース２１の凸部２１１が係合ツメ１８を押圧して、係合ツメ１８が弾性変形した状態を示している)であり、図１（ｅ）は本体カバー１２単体の交換カセット２を収納する内面側から見た図であり、図１（ｇ）は図１（ｃ３）のＳ部の拡大図とそのＶ−Ｖ断面を示す図であり、図１（ｈ）は図１（ｃ１）のＵ部の拡大図であり、図１（ｉ）は図１（ｃ１）のＷ部の拡大図であり、図１（ｋ）は図１（ｅ）のＸ部の拡大図とそのＹ−Ｙ断面を示す図であり、図１（ｍ）は図１（ｄ）のＺ部の拡大図であり、図１（ｎ）は図１（ａ）のＰ−Ｐ断面図とその部分拡大図であり、図１（ｏ）は図１（ａ）のＯ−Ｏ断面図とその部分拡大図である。
【図２】本発明の第２実施形態の塗膜転写具Ｂを示す。図２（ａ）は本体カバー１２を取り外した状態（参考のため、本体カバー１２のヒンジ１９部分のみを記載している）の塗膜転写具Ｂの正面図であり、図２（ｂ）は図２（ａ）のＱ−Ｑ断面図（参考のため、本体カバー１２を記載している）である。図２（ｃ１）、（ｃ２）、（ｃ３）は、塗膜転写具Ｂの交換カセット２を示す図であり、図２（ｃ１）は交換カバー２２側から見た交換カセット２であり、図２（ｃ２）は図２（ｃ１）のＲ−Ｒ断面図、図２（ｃ３）は交換ケース２１側から見た交換カセット２である。図２（ｄ）と図２（ｆ）は本体カバー１２と交換カセット２を取り外した状態の本体カセット１を示す図であり、図２（ｄ）はスライダー１７が巻取プーリー１５から遠ざかった初期状態を示す図であり、図２（ｆ）はスライダー１７が巻取プーリー１５方向へ移動した状態を示す図であり、図２（ｅ）は本体カバー１２単体の交換カセット２を収納する内面側から見た図であり、図２（ｇ）は図２（ｂ）のＳ部の拡大図であり、図２（ｈ）は図２（ｃ１）のＵ部の拡大図であり、図２（ｉ）は図２（ｃ１）のＷ部の拡大図であり、図２（ｋ）は図２（ｅ）のＸ部の拡大図とそのＹ−Ｙ断面を示す図である。
【図３】比較例１の塗膜転写具Ｃ１を示す図である。図３（ａ）は本体カバー１２を取り外した状態（参考のため、本体カバー１２のヒンジ１９部分のみを記載している）の塗膜転写具Ｃ１の正面図であり、図３（ｂ）は図３（ａ）のＱ−Ｑ断面図（参考のため、本体カバー１２を記載している）である。図３（ｃ１）、（ｃ２）、（ｃ３）は、塗膜転写具Ｃ１の交換カセット２を示す図であり、図３（ｃ１）は交換カバー２２側から見た交換カセット２であり、図３（ｃ２）は図３（ｃ１）のＲ−Ｒ断面図、図３（ｃ３）は交換ケース２１側から見た交換カセット２である。図３（ｄ）は本体カバー１２と交換カセット２を取り外した状態の本体カセット１を示す図であり、図３（ｅ）は本体カバー１２単体の交換カセット２を収納する内面側から見た図であり、図３（ｆ）は図３（ｃ１）のＵ部の拡大図であり、図３（ｇ）は図３（ｃ１）のＷ部の拡大図であリ、図３（ｈ）は図３（ｅ）のＸ部の拡大図とそのＹ−Ｙ断面である。
【図４】転写押圧力評価で塗膜転写具の転写ヘッドを被転写面に押圧する角度を示す図である。
【図５】「使用初期」において、繰出コア２３の回転中心Ｌから見た巻取コア２５の回転中心Ｍの方向と、転写テープＴの張力の繰出コア２３を引く方向とが一致している本発明の第３実施形態である塗膜転写具Ｄを示す。
【発明を実施するための形態】
【００２２】
図１に、本発明の第１実施形態の塗膜転写具Ａを示す。塗膜転写具Ａは、基材テープ上に塗膜を設けた転写テープを繰出部から繰出し、転写押圧部で転写テープを押圧して塗膜を被転写面へ転写した後、基材テープを巻き取ることや、基材テープの巻取り長さが転写テープの繰出し長さより長くなるように、転写テープを繰出す繰出コアと基材テープを巻き取る巻取コアを連動回転させ、転写テープに適度な張力をかけることによって、転写テープがたるまないようにしていることは、従来の塗膜転写具と同様である。
【００２３】
塗膜転写具Ａは、本体カセット１と交換カセット２で構成されており、交換カセット２の転写テープＴの塗膜を使い終えると、新たな交換カセット２を本体カセット１に装着して、繰り返し本体カセット１を使用することができる。
【００２４】
塗膜転写具Ａでは、交換カセット２は、繰出コア２３に転写テープＴを巻きつけた繰出側パンケーキと巻取コア２５、転写ヘッド２４、及びこれらを保持する交換ケース２１、交換カバー２２の必要最小限の部品で構成されており、繰出コア２３と巻取コア２５を連動回転させる連動回転機構は本体カセット１に設けられている。なお、塗膜転写具Ａでは、交換カセット２に転写ヘッド２４を設けているが、交換カセット２を本体カセット１へ容易に装着可能であれば、転写ヘッドを本体カセット１に設けてもよい。
【００２５】
塗膜転写具Ａでは、交換カセット２が本体カセット１に装着されていない状態では、繰出コア２３は回転しない。図１（ｃ１）に示すように、交換カセット２の交換カバー２２には、繰出コア２３を保持する長穴２２３が設けられている。長穴２２３は、巻取コア２５が装着される穴２２５に向かう方向が長くなっている。図１（ｈ）に示すように、長穴２２３の周りには、長穴２２３の一部が切り欠かれ、弾性変形可能で先端に３角形状の突起２２６がある弾性片２２１が設けられている。弾性片２２１は長穴２２３の長手方向側部の２箇所に設けられ、３角形状の突起２２６は長穴２２３を挟み込むように向き合っている。一方、繰出コア２３の端部には、外周１周に連続して、３角歯２３１が設けられている。繰出コア２３を交換カセット２に装着すると、３角歯２３１と３角形状の突起２２６が噛み合って、繰出コア２３が回転しないようになるとともに、繰出コア２３は穴２２５から遠い側の長穴２２３の長手方向端部に固定される。
【００２６】
図１（ｃ３）に示すように、交換ケース２１にも繰出コア２３を保持する長穴２１３が設けられる。長穴２１３は、交換ケース２１の巻取コア２５が装着される穴２１５に向かう方向が長くなっている。長穴２１３、２２３ともに巻取コア２５に向かう方向が長い長穴であるので、３角歯２３１と３角形状の突起２２６が噛み合っていない状態では、繰出コア２３が回転可能、かつ、巻取コア２５に対して遠近方向に移動可能となる。しかしながら、交換カセット２が本体カセット１に装着されるまでは、３角歯２３１と３角形状の突起２２６とが噛み合っているので、繰出コア２３は、長穴２１３、２２３内の巻取コア２５から最も遠い位置に固定されるとともに、回転しない。塗膜転写具Ａでは、３角形状の突起２２６及び３角歯２３１を交換カバー２２側にのみ設けている。しかしながら、交換カセット２を本体カセット１に装着することで、繰出コア２３を回転可能かつ長穴２１３，２２３内の長手方向に移動可能とすることができるのであれば、３角形状の突起及び３角歯を交換ケース２１側のみ、または交換ケース２１と交換カバー２２の両方に設けてもよい。
【００２７】
塗膜転写具Ａでは、巻取コア２５は塗膜を転写後の基材テープＴ１を巻き取る方向の反対方向へは回転しない。図１（ｃ１）、（ｉ）に示すように、交換カセット２の交換カバー２２には、巻取コア２５を保持する穴２２５が設けられている。穴２２５の周りには、穴２２５の一部が切り欠かれ、弾性変形可能で先端に３角形状の突起である変形ツメ２２７がある弾性変形可能な弾性片２２８が設けられている。一方、巻取コア２５の端部には、外周１周に連続して、逆転防止ツメ２５１が設けられている。巻取コア２５を交換カセット２に装着すると、逆転防止ツメ２５１と変形ツメ２２７が噛み合う。繰出コア２３側の３角歯２３１と３角形状の突起２２６は、単に噛み合って、繰出コア２３の回転と移動が防止できればよいので、特に方向性を設ける必要はないが、逆転防止ツメ２５１と変形ツメ２２７には、方向性が設けられる。逆転防止ツメ２５１と変形ツメ２２７に設けられた方向性によって、巻取コア２５は塗膜を転写後の基材テープＴ１を巻き取る方向の反対方向へは回転しない。図１（ｉ）に示すように、逆転防止ツメ２５１と変形ツメ２２７の形状は、巻取コア２５が基材テープＴ１を巻き取る方向の反対方向へ回転する場合には、逆転防止ツメ２５１と変形ツメ２２７が強く噛み合い、巻取コア２５の回転を防止する。一方、巻取コア２５が基材テープＴ１を巻き取る方向へ回転する場合には、変形ツメ２２７の斜面が逆転防止ツメ２５１の斜面に沿ってすべりながら、弾性片２２８が弾性変形することによって、変形ツメ２２７が逆転防止ツメ２５１を乗り越えることができるものとなっている。したがって、巻取コア２５は基材テープＴ１を巻取る方向へは回転可能であるが、基材テープＴ１を巻き取る方向の反対方向へ回転することができない。このように、巻取コア２５から基材テープＴ１が巻き戻されることがなく、前記のように、交換カセット２が本体カセット１に装着されていない状態では繰出コア２３の３角歯２３１と３角形状の突起２２６が噛み合って、繰出コア２３は回転しない。よって、交換カセット２が本体カセット１に装着されていない状態では、転写テープＴは一定の張力で張った状態で維持される。
【００２８】
図１（ａ）、（ｂ）に示すように、本体カセット１は、ヒンジ１９で連結された本体ケース１１と本体カバー１２、交換カセット２が装着されると繰出コア２３とともに回転する繰出プーリー１３、同様に巻取コア２５とともに回転する巻取プーリー１５、繰出プーリー１３と巻取プーリー１５の溝に掛けまわされ、繰出プーリー１３と巻取プーリー１５を連動回転させるベルトであるＯリング１６、及び、繰出プーリー１３を回転可能に保持し巻取プーリー１５に対して遠近方向にスライド移動可能なスライダー１７から構成されている。
【００２９】
スライダー１７のスライド方向側方にはラチェット歯１７１が連続して複数設けられている。図１（ｄ）、（ｍ）に示すように、本体カセット１に交換カセット２が装着されていない状態では、本体ケース１１に一体に設けられた係合ツメ１８はラチェット歯１７１と噛み合っていないが、本体カセット１に交換カセット２が装着されると図１（ｇ）に示す交換ケース２１に設けられた凸部２１１が、図１（ｏ）に示すように係合ツメ１８を弾性変形させることによって、係合ツメ１８とラチェット歯１７１が噛み合う。係合ツメ１８を弾性変形させることによって、係合ツメ１８とラチェット歯１７１が噛み合うので、本体カセット１から交換カセット２を取り外すと、再び、係合ツメ１８とラチェット歯１７１とは噛み合わない状態に戻る。塗膜転写具Ａでは、係合ツメ１８を本体ケース１１に一体に設けたが、係合ツメ１８を本体ケース１１とは、別部品としてもよい。係合ツメ１８を本体ケース１１と別部品とする場合には、係合ツメ１８自身の弾性力に代えて、金属製のコイルスプリングや板バネなどで、係合ツメ１８をスライダー１７から遠ざかる方向に引張り又は押圧してもよい。金属製のコイルスプリングや板バネを使用することで、本体カセットの耐久性を向上することができ、より多くの交換カセットに対して、本体カセットを繰り返し使用することができる。
【００３０】
塗膜転写具Ａでは、本体ケース１１と本体カバー１２をヒンジ１９部分で分離する別々の部品としている。しかしながら、本体カセット１の本体ケース１１と本体カバー１２はヒンジを含めて一体の部品としてもよい。経済性を考慮すると、一体成型したプラスチック成型品とすることが好ましい。
【００３１】
図１（ｄ）、（ｅ）に示すように、本体カバー１２の側壁にはフック１２１が設けられており、一方本体ケース１１の側壁には受け部１１１が設けられている。ヒンジ１９部分を折り曲げることによって、本体カバー１２を本体ケース１１に覆い被らせると、フック１２１が一旦弾性変形した後に、受け部１１１に噛みこんで、本体ケース１１と本体カバー１２が閉じた状態で固定される。本体カバー１２の内壁には２箇所の突起１２２が設けられている。本体ケース１１に交換カセットが装着された状態で、本体カバー１２を閉じると、図１（ｎ）に示すように、突起１２２が交換カセット２の弾性変形可能な２箇所の弾性片２２１と接触して押圧し、弾性片２２１が弾性変形する。突起１２２の押圧により、弾性片２２１はそれぞれ３角歯２３１から遠ざかる方向に弾性変形して、繰出コア２３は交換カバー２２に対して回転可能となる。
【００３２】
交換カセット２を本体カセット１に装着すると、凸部２１１は係合ツメ１８と接触して押圧し、係合ツメ１８が移動してスライダー１７側部に設けられたラチェット歯１７１と噛み合う。ラチェット歯１７１と係合ツメ１８の形状は、図１（ｄ）、（ｍ）に示すように、スライダー１７が巻取プーリー１５から遠ざかる方向へ移動する場合には、ラチェット歯１７１と係合ツメ１８が強く噛み合い、スライダー１７の移動を防止し、スライダー１７が巻取プーリー１５へ近づく方向へ移動する場合には、係合ツメ１８の斜面がラチェット歯１７１の斜面に沿ってすべりながら、係合ツメ１８が弾性変形することによって、係合ツメ１８がラチェット歯１７１を乗り越えることができるものとなっている。このため、交換カセット２が装着された状態では、スライダー１７は本体カセット１内において、巻取プーリー１５方向へは移動可能であるが、巻取プーリー１５から遠ざかる方向へは移動できない。
【００３３】
塗膜転写具Ａでは、ラチェット歯１７１と係合ツメ１８は、それぞれ、スライダー１７、本体ケース１１と同材質の樹脂材料で一体成型した成型品としている。しかしながら、ラチェット歯１７１と係合ツメ１８は本体カセット１に設けられ、繰り返し使用されるため、耐久性が不足するおそれがある。耐久性が不足する場合には、ラチェット歯１７１と係合ツメ１８を金属材料で製作することが好ましい。ラチェット歯１７１と係合ツメ１８を金属製とする場合には、金属で製作したラチェット歯１７１と係合ツメ１８を、それぞれスライダー１７本体ケース１１を形成する金型内にインサートした状態で、成型品を成型することによって、スライダー１７，本体ケース１１を製作することができる。
【００３４】
繰出コア２３から繰り出された転写テープＴは、巻取コア２５がある転写ヘッド２４方向へ走行する。繰出プーリー１３は、巻取プーリー１５に対して遠近方向にスライド移動可能なスライダー１７上に回転可能に保持されているので、転写テープＴの張力によって繰出プーリー１３は、巻取プーリー１５方向に移動可能となっている。また、本体カバー１２が閉じられると、図１（ｎ）に示すように、本体カバー１２の突起１２２が、交換カセット２の弾性変形可能な弾性片２２１と接触して押圧し、弾性片２２１が３角歯２３１から遠ざかる方向に弾性変形する。この結果、繰出コア２３は交換カバー２２に対して回転可能、かつ、交換カバー２２の長穴２２３の長手方向、すなわち、巻取プーリー１５方向に移動可能となる。
【００３５】
このように、交換カセット２が本体カセット１に装着されて、本体カバー１２が閉じられると、繰出プーリー１３、繰出コア２３ともに、巻取プーリー１５方向に移動可能となる。したがって、塗膜転写具Ａが使用されて、転写テープＴが繰出コア２３から繰出されると、転写テープＴの張力によって繰出コア２３とともに繰出プーリー１３が巻取コア１５方向へ移動する。
【００３６】
繰出プーリー１３が巻取プーリー１５方向へ移動すると、Ｏリング１６の周長が短くなり、Ｏリング１６の張力が小さくなる。Ｏリング１６の張力が小さくなることにより、Ｏリング１６と巻取プーリー１５とがすべることによって発生するスリップトルクが小さくなり、転写テープＴが繰出コア２３から引き出される張力も小さくなる。
【００３７】
一般的に塗膜転写具では、繰出コアと巻取コアを連動回転手段で連動回転させて、繰出コアから繰り出される転写テープよりも巻き取られる塗膜転写後の基材テープが長くなるように、繰出コアと巻取コアの回転比を設定して、転写テープと基材テープをたるむことなく走行させている。このような塗膜転写具では、転写テープを使用するに従って、繰出コアに巻きつけられた繰出側パンケーキの外径が小さくなる。一方、繰出コアに負荷されるブレーキは、巻取コアと連動回転手段とのスリップにより発生しているため、繰出側パンケーキ外径とは関係なくほとんど変化しない。このため、転写テープの張力は繰出側パンケーキの外径が小さくなるに連れて大きくなる。
【００３８】
これに対して、塗膜転写具Ａでは、転写テープＴの張力が大きくなることによって繰出プーリー１３を移動させ、繰出プーリー１３と巻取プーリー１５間の距離を狭めて、転写テープＴの張力を小さくしている。このようにすることにより、塗膜転写具Ａでは、長尺の転写テープＴを収納しても、「使用初期」から「使用終期」までの転写テープＴの張力変化が少なく、「使用初期」から「使用終期」までの軽い力で塗膜を転写することができ、操作性が良い。
【００３９】
さらに、塗膜転写具Ａのスライダー１７は、交換カセット２が装着された状態では、本体カセット１内を巻取プーリー１５方向へは移動可能であるが、巻取プーリー１５から遠ざかる方向へは移動できない。したがって、塗膜転写具Ａでは、塗膜転写後に転写ヘッド２４を被転写面から持ち上げても、繰出プーリー１３は巻取プーリー１５から遠ざからず、転写テープＴの張力は小さくなった状態が維持される。この結果、塗膜転写具Ａでは、塗膜転写再開時においても転写ヘッドの押圧力を大きくする必要がなく、さらに操作性がよい。
【００４０】
本体ケース１１にはレール部１１２が設けられている。レール部１１２の形状は図１（ｏ）に示すようなＬ字形状であり、スライダー１７を挟んで左右対称のＬ字形状が２対設けられている。レール部１１２が設けられているので、スライダー１７は、巻取プーリー１５に対する遠近方向以外には動かないようになっている。また、スライダー１７には、弾性部１７２が設けられている。弾性部１７２はスライダー１７に一体に設けられた樹脂バネである。スライダー１７を本体ケース１１のレール部１１２に装着すると、弾性部１７２は少し弾性変形した状態となり、弾性部１７２の弾性力によって、スライダー１７は巻取プーリー１５から遠ざかる方向へ押圧された状態となる。
【００４１】
弾性部１７２を設ける主な目的は、交換カセット２の転写テープＴの塗膜を使い終え、新たな交換カセット２を装着する時に、スライダー１７の位置を初期状態、すなわち、繰出プーリー１３が巻取プーリー１５から遠ざかった位置に押し戻すことである。交換カセット２の転写テープＴの塗膜を使い終え、交換カセット２を本体カセット１から取り外すと、交換ケース２の外壁に設けられた凸部２１１が係合ツメ１８を押圧しなくなり、係合ツメ１８は係合ツメ１８自身の弾性力によってスライダー１７から遠ざかる方向に押し戻され、ラチェット歯１７１と係合ツメ１８は噛み合わない状態となる。このため、スライダー１７は巻取プーリー１５から遠ざかる方向へ移動可能となり、弾性部１７２の弾性力により、スライダー１７の位置を初期状態、すなわち、繰出プーリー１３が巻取プーリー１５から遠ざかった位置に押し戻す。繰出プーリー１３が押し戻されることによって、繰出プーリー１３と巻取プーリー１５間の軸間距離が、新たに装着する交換カセット２の繰出コア２３と巻取コア２５の軸間距離と同じになるので、新たな交換カセット２の本体カセット１への装着が容易となり、新たな交換カセット２を装着した塗膜転写具Ａも、操作性のよい交換式の塗膜転写具とすることができる。しかも、塗膜転写具Ａでは、連動回転機構やスライダー１７を本体カセットに設けたので、交換時に廃棄する交換部品を増やすことなく、操作性のよい交換式の塗膜転写具とすることができる。
【００４２】
弾性部１７２を設ける他の目的は、転写テープＴの張力の調整と、外部からの衝撃による繰出プーリー１３の巻取プーリー１５方向への移動の防止が挙げられる。
【００４３】
塗膜転写具Ａでは、転写テープＴの張力は転写テープＴの張力自身と繰出側パンケーキの外径によって変化する。転写テープＴの張力によってスライダー１７とともに繰出プーリー１３が移動すると、繰出プーリー１３と巻取プーリー１５の軸間距離が短くなることによって、Ｏリング１６の張力が小さくなり、転写テープＴの張力が小さくなる。一方、転写テープＴが繰出されることによって、繰出側パンケーキの外径が小さくなると、転写テープＴの張力は大きくなる。本発明の主な課題は、「使用初期」から「使用終期」までの転写テープＴの張力変化を小さくすることである。したがって、転写テープＴの張力によってＯリング１６の張力が小さくなる効果と、繰出側パンケーキの外径が小さくなる効果が打ち消し合って、転写テープＴの張力が変化しないことが、本発明の理想である。
【００４４】
塗膜転写具Ａでは、転写テープＴの張力が作用する方向と、繰出プーリー１３から見て巻取プーリー１５のある方向が略一致しているため、転写テープＴの張力によって、繰出プーリー１３が移動しやすい。したがって、塗膜転写具Ａに弾性部１７２を設けなければ、転写テープＴの張力によってＯリング１６の張力が小さくなる効果の方が、繰出側パンケーキの外径が小さくなる効果よりも大きくなりやすい。このため、塗膜転写具Ａでは、転写テープＴの張力によってＯリング１６の張力が小さくなり過ぎることを防止するために、弾性部１７２が設けられている。
【００４５】
また、塗膜転写具に加えられる衝撃などによって、繰出プーリー１３が巻取プーリー１５方向に移動すると、繰出側パンケーキの外径が変わっていないにも関わらず、転写テープＴの張力が小さくなる。したがって、転写テープＴの張力が小さくなり過ぎて、転写テープＴがたるむなどの走行不良となるおそれがある。弾性部１７２が設けられていると、常にスライダー１７を巻取プーリー１５から遠ざかる方向へ押圧しているので、塗膜転写具に加えられる衝撃などによって、繰出プーリー１３が巻取プーリー１５方向へ移動することを防止できる。
【００４６】
塗膜転写具Ａでは、弾性部１７２をスライダー１７に一体に設けた樹脂バネとしたが、弾性部を別部材としてもよい。別部材の弾性部としては、金属製のコイルスプリングや板バネが例示される。弾性力を高い精度で設定する必要がある場合には、コイルスプリングを使用することが好ましい。
【００４７】
本体ケース１１には、スライダー１７の巻取プーリー１５方向への移動を制限する前部ストッパ１１３と、スライダー１７の巻取プーリー１５の反対方向への移動を制限する後部ストッパ１１７を設けることが好ましい。前部ストッパ１１３は、繰出プーリー１３が巻取プーリー１５方向へ移動し過ぎて、転写テープＴが走行不良となることを防止するために設けられる。前部ストッパ１１３によって、転写テープＴの張力が「使用終期」における適性値を下回るような位置にまで、繰出プ−リー１３が移動しないようになっている。一方、後部ストッパ１１７は、繰出プーリー１３が巻取プーリー１５の反対方向へ移動し過ぎず、「使用初期」において転写テープＴの張力が適正な値となる位置に設けられている。但し、Ｏリング１６の張力と弾性部１７２の弾性力がつりあって、交換カセット２を取り外した場合に、繰出プーリー１３が「使用初期」において転写テープＴの張力が適正な値となる位置に留まるのであれば、後部ストッパ１１７は、必ずしも設ける必要はない。
【００４８】
また、本発明の塗膜転写具Ａの巻取コア２５には、巻き取った基材テープＴ１が逆戻りしてたるまないように、逆転防止機構を設けることが好ましい。ベルト（Ｏリング１６）で繰出部と巻取部を連動している塗膜転写具では、転写テープＴの塗膜を、転写ヘッド２４を介して被転写面に転写している時は、繰出コア２３から転写テープＴが繰り出されて繰出コア２３が回転し、その回転が繰出プーリー１３と巻取プーリー１５間に掛け回されたＯリング１６を繰出プーリー１３側から巻取プーリー１５側に向けて押し出す。このため、繰出プーリー１３側から巻取プーリー１５側に向かうＯリング１６は外方向に膨らんでたるむ。一方、逆側の巻取プーリー１５から繰出プーリー１３側に向かうＯリング１６は、繰出プーリー１３の回転に引っ張られて引き延ばされながら巻取プーリー１５を回転させることになる。この状態で、塗膜転写具を被転写面から離すと、Ｏリング１６はゴム製なので、自身の弾性力で元の長さに戻り、繰出プーリー１３と巻取プーリー１５を転写テープＴが引き出される方向とは逆方向に回転させて、転写テープＴを巻取コア２５側から繰出コア２３側へ引き戻すことになる。そのため、転写ヘッド２４で転写し終わった基材テープＴ１は繰出コア２３側に引き戻され、転写ヘッド２４の塗膜転写位置の転写テープＴには塗膜が無い状態になる。このため、次に塗膜転写具で塗膜を転写しようとしても、塗膜転写位置には塗膜がないので転写できないという問題が生じる。巻取部に逆転防止機構を設けると、Ｏリング１６の弾性力による巻取プーリー１５及び巻取コア２５の逆方向への回転が防止できるので、転写テープＴが繰出コア２３側に引き戻されることを防止でき、次に塗膜転写具で塗膜を転写しようとした場合に、塗膜転写位置の転写テープＴに塗膜がないという問題が解消できる。
【００４９】
本発明の塗膜転写具Ａにおいては、巻取部の逆転防止機構は、次の点でさらに重要な役割を果たしている。本発明の塗膜転写具Ａでは、転写テープＴの張力を利用して、繰出プーリー１３を移動させることにより、Ｏリング１６の張力を小さくして、転写テープＴの張力が大きくなり過ぎないようにしている。Ｏリング１６の弾性力により転写テープＴが繰出コア２３側に引き戻されると、転写テープＴの張力が瞬間的に小さくなり、転写テープＴの張力による繰出プーリー１３の移動が不安定になる。転写テープＴの張力による繰出プーリー１３の移動が不安定になると、転写テープＴの張力が不安定になって、意図した張力にできないことがある。このように、本発明の塗膜転写具Ａでは、巻取部の逆転防止機構は、転写テープＴの張力を安定させる役割も果たしている。
【００５０】
塗膜転写具Ａの巻取部の逆転防止機構は、図１（ｃ１）、（ｉ）に示すように、交換カバー２２に設けられた変形ツメ２２７と巻取コア２５に設けられた逆転防止ツメ２５１で構成されている。
【００５１】
塗膜転写具Ａでは、繰出コア２３の回転中心Ｌと巻取コア２５の回転中心Ｍと転写ヘッド２４の塗膜転写位置Ｎを、Ｌ、Ｍ、Ｎの順で略一直線上に設けるように配置している。Ｌ、Ｍ、Ｎの順で略一直線上に設けると、繰出コア２３の回転中心Ｌから見た巻取コア２５の回転中心Ｍの方向と転写テープＴが張力により繰出コア２３を引く方向がおおよそ同方向であり、また、繰出コア２３に転写テープＴを巻き付けた繰出側パンケーキや巻取コア２５を、交換ケース２１内に無駄なスペースを設けずに効率よく収納できる。したがって、Ｌ、Ｍ、Ｎをこの順で略一直線上に設けると、転写テープＴの張力により繰出コア２３と巻取コア２５との軸間距離を確実に短くすることができるとともに、塗膜転写具を小型でコンパクトなものとすることができる。
【００５２】
本発明の塗膜転写具は、必ずしもＬ、Ｍ、Ｎをこの順で略一直線上に配置する必要はなく、転写テープＴの張力で繰出コア２３を巻取コア２５方向へ移動することによって、「使用初期」から「使用終期」の間の転写テープＴの張力の変化を小さくすることができるものであれば、Ｌ，Ｍ及びＮを任意の配置とすることができる。例えば、本発明の塗膜転写具は、図５に示す本発明の第３実施形態である塗膜転写具Ｄのように、Ｌ，Ｍ、Ｎを配置してもよい。
【００５３】
図５（ａ）は塗膜転写具Ｄの「使用初期」を表している。図５（ａ）において、繰出コア２３の回転中心Ｌから見た巻取コア２５の回転中心Ｍの方向と、転写テープＴの張力が繰出コア２３を引く方向が一致しているが、塗膜転写具Ｄが使用され繰出側パンケーキの外径が小さくなると、繰出コア２３の回転中心Ｌから見た巻取コア２５の回転中心Ｍの方向と、転写テープＴの張力が繰出コア２３を引く方向が一致しなくなる。しかしながら、塗膜転写具Ｄでは、図５（ｂ）に示す「使用終期」においても、繰出コア２３の回転中心Ｌと巻取コア２５の回転中心Ｍを結んだ線分ＬＭと、転写テープＴが成す角度は小さい。言い換えると、塗膜転写具Ｄの「使用終期」では、転写テープＴに作用する張力自体と、転写テープＴに作用する張力の線分ＬＭに平行な分力のなす角度（図５（ｂ）中の角Ｗ）は小さい。よって、転写テープＴの張力の線分ＬＭに平行な分力は、転写テープＴの張力自体と比べて大きな差は無く、この線分ＬＭに平行な分力でも、繰出コア２３と巻取コア２５との軸間距離を確実に短くすることができる。
【００５４】
角度Ｗが大きくなると、転写テープＴの張力の線分ＬＭに平行な分力が小さくなるため、繰出コア２３と巻取コア２５との軸間距離を短くすることができなくなる。したがって、角度Ｗは「使用初期」から「使用終期」を通じて４５度以下が好ましく、３０度以下がより好ましい。この角度が４５度を超えると、繰出コア２３に作用する転写テープＴの張力の線分ＬＭに平行な分力が小さくなりすぎて、転写テープＴの張力によって巻取コア２５と繰出コア２３間との軸間距離を短くして、転写テープＴの張力を小さくする効果が減少し、「使用初期」から「使用終期」までの転写テープＴの張力の変化を小さくすることができなくなる。
【００５５】
図２に、本発明の第２実施形態の塗膜転写具Ｂを示す。塗膜転写具Ｂは、逆移動防止機構の構成が異なる以外は、塗膜転写具Ａと同様である。
【００５６】
図２（ｂ）、（ｃ３）、（ｇ）に示すように、塗膜転写具Ｂの交換ケース２１の外壁には、ラチェット歯２８が設けられている。一方、スライダー１７には先端に係合ツメ１７３を有する弾性変形可能な弾性片が設けられている。
【００５７】
図２（ｇ）に示すように、本体カセット１に交換カセット２を装着すると、ラチェット歯２８と係合ツメ１７３が噛み合う。
【００５８】
係合ツメ１７３とラチェット歯２８の形状は、図２（ｇ）に示すように、スライダー１７が巻取プーリー１５から遠ざかる方向へ移動する場合には、係合ツメ１７３とラッチェット歯２８が強く噛み合ってスライダー１７の移動を防止し、スライダー１７が巻取プーリー１５へ近づく方向へ移動する場合には、係合ツメ１７３の斜面がラチェット歯２８の斜面に沿ってすべりながら、係合ツメ１７３が設けられた弾性片全体が弾性変形することによって、係合ツメ１７３がラチェット歯２８を乗り越えることができるものとなっている。このため、交換カセット２が装着された状態では、スライダー１７は本体カセット１内を、巻取プーリー１５方向へは移動可能であるが、巻取プーリー１５から遠ざかる方向へは移動できない。
【実施例】
【００５９】
幅６ｍｍの両面離型処理をしたＰＥＴフィルム上に、長さ１０．２ｍに亘って修正テープ用の塗膜を塗布した転写テープを図１の繰出コア２３に巻き付けて繰出側パンケーキを準備した。この繰出側パンケーキを図１の塗膜転写具に収納した塗膜転写具Ａ１を準備した。塗膜転写具Ａ１のスライダー１７の弾性部１７２は、バネ定数が０．１Ｎ／ｍｍであり、スライダー１７が弾性部１７２に押圧されて、スライダー１７が後部ストッパ１１７と接触した初期状態にセットすると、弾性部１７２は１．３Ｎでスライダー１７を巻取プーリー１５の反対方向へ付勢する。
【００６０】
実施例２として、実施例１の塗膜転写具Ａ１とスライダー１７の弾性部１７２のみが異なる塗膜転写具Ａ２を準備した。塗膜転写具Ａ２のスライダー１７の弾性部１７２は、バネ定数が０．１Ｎ／ｍｍであり、前記初期状態にセットすると、弾性部１７２は１．７Ｎでスライダー１７を巻取プーリー１５の反対方向へ付勢する。
【００６１】
実施例３として、図２に示す塗膜転写具を用いた以外は、実施例１の塗膜転写具と同様の塗膜転写具Ｂ１を準備した。
【００６２】
比較例１として、スライダー１７が無く、繰出プーリー１３が前記初期状態の位置で本体カセット１に直接、回転可能に軸支されている以外は、塗膜転写具Ａ１と同様の図３に示す塗膜転写具Ｃ１を準備した。
【００６３】
実施例１、２、３及び、比較例１の塗膜転写具を使用し、以下の方法により各々の転写押圧力を評価した。被転写体（ＰＰＣ用紙）を台座付き電子天秤の台座上に置き、図４に示す角度で塗膜転写具の転写ヘッドを被転写体（ＰＰＣ用紙）に押圧し、塗膜が転写できる最小の転写押圧力（電子天秤が示す荷重値）を測定した。この測定における、塗膜転写具の転写スピードは２ｃｍ／秒とした。転写押圧力の測定は、繰出側パンケーキに長さ１０．２ｍの修正塗膜が巻かれている初期状態から開始し、修正塗膜を１ｍ消費するたびに測定した。
【００６４】
評価結果は表１に示す通りであった。実施例１、２、３の塗膜転写具は比較例１の塗膜転写具に比べ、転写テープの全長において、転写押圧力の変化が小さく操作性がよかった。
【００６５】
【表１】
0006417566.tif 000002
【符号の説明】
【００６６】
Ａ、Ｂ、Ａ１、Ａ２、Ｂ１、Ｃ１、Ｄ：塗膜転写具
Ｔ                                ：転写テープ  
Ｔ１                              ：基材テープ
１                                ：本体カセット
１１                              ：本体ケース
１１１                            ：受け部
１１２                            ：レール部
１１３                            ：前部ストッパ
１１７                            ：後部ストッパ
１２                              ：本体カバー
１２１                            ：フック
１２２                            ：突起
１３                              ：繰出プーリー
１５                              ：巻取プーリー
１６                              ：Ｏリング
１７                              ：スライダー
１７１                            ：チェット歯
１７２                            ：弾性部
１７３                            ：係合ツメ
１８                              ：係合ツメ
１９                              ：ヒンジ
２                                ：交換カセット
２１                              ：交換ケース
２１１                            ：凸部
２１３                            ：長穴
２１５                            ：穴
２２                              ：交換カバー
２２１                            ：弾性片
２２３                            ：長穴
２２５                            ：穴
２２６                            ：３角形状の突起
２２７                            ：変形ツメ
２２８                            ：弾性片
２３                              ：繰出コア
２３１                            ：３角歯
２４                              ：転写ヘッド
２５                              ：巻取コア
２５１                            ：逆転防止ツメ
２８                              ：ラチェット歯
【図１】
0006417566.tif 000003
【図２】
0006417566.tif 000004
【図３】
0006417566.tif 000005
【図４】
0006417566.tif 000006
【図５】
0006417566.tif 000007